(57)【特許請求の範囲】
【請求項１】
表面に軸方向の凹凸を形成したパイプ柄の先端部分に、高強度の合成樹脂材をインサート成型することによって、断面形状が方形であって先方に向けて太径となる盲筒状の管端部材を成型するとともに、
該管端部材の基方から、鍬板などの刃体の一部に形成し、前記管端部材に嵌合する形状である筒状のヒツを挿入して無理嵌めし、
前記管端部材及びヒツは上面及び左右の側面をパイプ柄の軸方向と平行な面で、底面を先方に向けて太径となる方向の傾斜面で形成し、
該管端部材とヒツの無理嵌め状態において、刃体のヒツと、管端部材及びパイプ柄を貫通させるピンによって固定したことを特徴とする鍬などの農工具における刃体と柄の取付構造。
【発明の詳細な説明】
【技術分野】
【０００１】
この発明は、鍬や備中のように、刃体に筒状のヒツを形成し、該ヒツに柄の先端を挿入して固定する農工具における刃体と柄の取付構造に関する発明である。
【背景技術】
【０００２】
鍬や備中などの農工具においては、一般的に木柄が利用され、刃体と柄の取付構造として、刃体の一部に形成した筒状のヒツに木柄の先端部を挿入し、木柄の先端に楔を打ち込むことによって強固に固定する構造が一般的である。特許文献１には、刃体である工具本体に形成した保持筒に柄を挿入する構造であって、保持筒内に楔片が形成されているため、刃体と柄がしっかりと固定される構造が開示されている。
【０００３】
パイプ柄の場合は、特許文献２や３に開示されるように、刃体に形成した取付片に対して柄をボルトナットを用いて固定する構造が提案されている。特許文献２に開示された発明は、左右一対の取付片で柄を挟み込んでボルト、ナットで固定する構造、特許文献３に記載された発明は、刃板に形成した板状の連結板をパイプ柄内に挿入し、その状態でボルトを貫通させて固定する構造が開示されている。
【先行技術文献】
【特許文献】
【０００４】
【特許文献１】特開平２００２−３６０００１号公報
【特許文献２】実用新案登録第３１６１３１８号公報
【特許文献３】特開平９−２０１１０１号公報
【発明の概要】
【発明が解決しようとする課題】
【０００５】
鍬などの農工具においては、従来の木柄のように刃体と柄を無理嵌めする構造が、刃体が安定するものであるが楔片の脱落やガタツキを生じる欠点があるとともに、パイプ柄の構造としては採用することができなかった。
特許文献２や３に開示されるパイプ柄の取付構造は、ボルトの弛みや腐食などによって、刃体にガタツキを生じる可能性があるとともに、構造そのものが複雑であるという欠点があった。このような従来技術の欠点に鑑み、本発明は簡単な構造でしっかりと固定される、鍬などの農工具における刃体と柄の取付構造を工夫したものである。
【課題を解決するための手段】
【０００６】
上記、目的を達成するために請求項１記載の発明は、
表面に軸方向の凹凸を形成したパイプ柄１の先端部分に、高強度の合成樹脂材をインサート成型することによって、断面形状が方形であって先方に向けて太径となる盲筒状の管端部材２を成型する。
そして、管端部材２の基方から、鍬板などの刃体３の一部に形成し、前記管端部材２に嵌合する形状である筒状のヒツ４を挿入して無理嵌めする。
【０００７】
前記管端部材２及びヒツ４は上面及び左右の側面をパイプ柄１の軸方向と平行な面で、底面を先方に向けて太径となる方向の傾斜面で形成し、管端部材２とヒツ４の無理嵌め状態において、刃体３のヒツ４と、管端部材２及びパイプ柄１を貫通させるピン５によって固定したことを特徴とする鍬などの農工具における刃体と柄の取付構造である。
【発明の効果】
【０００８】
本発明によれば、パイプ柄１の先端部分に固着した管端部材２に対して刃体３のヒツ４部分が無理嵌めされた状態で、ピン５によってこれらが固定されるため、刃体３がパイプ柄１に強固に固定される。農工具の使用に際して、刃体３には先方に移動させようとする力が作用するが、この力はヒツ４と管端部材２を密着させる如く作用する。そして、本発明の構造は、パイプ柄１の先端部分に管端部材２を固着し、ピン５によって固定するといった簡単な構造によって実現することができる。
【０００９】
また、管端部材２の成型に際して、管端部材２及びヒツ４の断面形状を方形とし、管端部材２及びヒツ４の上面及び左右の側面はパイプ柄１の軸方向と平行な面で形成する。すなわち、上面と左右側面にはテーパ形状が現れない単純な形状で実現できる。そして、管端部材２及びヒツ４の底面の傾斜構造によって管端部材２と刃体３を確実に無理嵌めすることができる。
【００１０】
さらに、管端部材２をパイプ柄１の先端部分にインサート成型することによって、管端部材２の成型、パイプ柄１との固着が簡単であるとともに、パイプ柄１の表面に軸方向の凹凸を形成することによって、管端部材２とパイプ柄１の密着強度を向上させることができる。
【図面の簡単な説明】
【００１１】
【図１】図１は、本発明に係る農工具の正面図、
【図２】図２は、図１に示す農工具のパイプ柄の先端部分の縦断面図、
【図３】図３は、図２のIII−III線拡大断面図、
【図４】図４は、図１のIV−IV線拡大断面図、
【図５】図５は、パイプ柄と管端部材を分離させた状態を示す縦断面図である。
【発明を実施するための形態】
【００１２】
以下、本発明に係る鍬などの農工具における刃体と柄の取付構造の実施形態を添付の図面に基づいて説明する。
図１は、本発明に係る農工具の正面図、図２は、図１に示す農工具のパイプ柄の先端部分の縦断面図である。
【００１３】
図１に示す農工具は、パイプ柄１の先端部分に鍬などの刃体３を固定したものである。刃体３は鍬のほか、備中、草削り刃、三角ホーなど柄の先端に固定して機能する農工具であればよい。パイプ柄１の基端部には、滑り止めのグリップ７を固定している。パイプ柄１は、軽量でなるべく取り扱い易いアルミニュウムもしくはアルミニュウム合金製とするのが好ましい。
【００１４】
パイプ柄１の先端部分には、刃体３を固定するための管端部材２を固着している。パイプ柄１の先端部分に固着する管端部材２は、高強度の合成樹脂材によって成型し、先方に向けて太径となる盲筒状としている。管端部材２は、図５に示すようにパイプ柄１とは別体に成型したものをパイプ柄１の先端部分にしっかりと装着（密嵌）して、ピン６で固定するものであってもよいが、パイプ柄１の先端部分に管端部材２を一体に成型（インサート成型）するのが好ましい。
図５において、８はパイプ柄１に穿設したピン孔、９は管端部材２に穿設したピン孔である。
【００１５】
管端部材２の材質は、特に限定されるものではないが、高強度の合成樹脂材によって成型する。例えば、繊維強化プラスチックを採用することができる。そして、管端部材２の成型に際してパイプ柄１の先端部分を一体成型するのが好ましい。このとき、パイプ柄１の表面を平滑なものではなく、表面に凹凸が形成されたものを採用すると、図３や図４に示すように、パイプ柄１表面の凹凸に管端部材２の合成樹脂材が充填され、パイプ柄１と管端部材２はより強固に一体化された状態に成型される。図示実施形態では、パイプ柄１の表面に形成された凹溝10に合成樹脂材が充填される。
【００１６】
パイプ柄１の断面形状は真円のパイプではなく、例えば長円形断面とすれば握り易い特長がある。また、パイプ柄１の表面に凹凸を形成しておくと、前記した管端部材との一体性が向上するだけでなく、把持柄として滑りにくいものとすることができる。パイプ柄１表面に形成する凹凸は、軸方向の凸条や凹溝として実施することができる。この形状はアルミニュウム材の引抜き加工によって容易に実現することができる。パイプ柄１の表面に形成する凸条や凹溝の数、大きさ及び間隔は任意である。
【００１７】
パイプ柄１の先端部分に装着する刃体３には、図２に示すように筒状のヒツ４を形成する。刃体３に形成するヒツの断面形状は円形や長円形断面とすることもできるが、方形断面とするのが刃体３の方向性を一定に保つことができる特長がある。すなわち、図４に示すように、方形のヒツ４は上面4aと左右の側面4b、4b及び底面4cで形成する。
【００１８】
方形断面のヒツ４を無理嵌め状態に嵌挿する管端部材２の断面形状は、前記ヒツの内接寸法とほぼ等しい方形断面に形成する。すなわち、管端部材２の上面2a左右の側面2b、2bは、ヒツ４の上面4aと左右の側面4b、4bの内接寸法とする。管端部材２の底面2cは、先方に向けて太径となる傾斜面に形成するとともに、ヒツ４の底面4cを、底面2cと類似の傾斜角度に形成している。
この構成とすることで、図２に矢印で示すように、管端部材２の基方から、先方に向けて刃体３を強い力で押し出すことによって、刃体３のヒツ４は管端部材２に無理嵌めされる。
【００１９】
上記、管端部材２に刃体３のヒツ４を無理嵌めした状態で、ヒツ４と、管端部材２及びパイプ柄１を貫通させるピン５を装着して固定（カシメ）することによって、これらを強固に固定することができる。
図１や図２に示す図示実施形態では、前記ピン５によるヒツ４と、管端部材２及びパイプ柄１の固定とは別に、管端部材２とパイプ柄１をピン６で固定している。ピン６を設けることによって、管端部材２はピン５と６の二箇所でパイプ柄１に固定されることになり、別に成型した管端部材をパイプ柄１に装着するもの、管端部材２をパイプ柄１と一体に成型するもののいずれの場合であっても、安定性が向上してより丈夫な取付構造が実現する。
【００２０】
管端部材２は、長円形断面のパイプ柄１に固着される方形断面の合成樹脂による成型品である。したがって、管端部材２の断面形状は、図２におけるIII−III線断位置では図３に示すように長円形であり、長円形断面から方形断面に変化する傾斜面2dを経て、図４に示す方形断面となる形状である。
管端部材２は、盲筒状である。すなわち、図２から明らかなように、先端面は閉塞されている。したがって、本発明では、鍬などの農工具でありながらパイプ柄１の内部に泥や水が浸入することがなく、キャップなどの閉塞手段を装着する必要がない。パイプ柄の基端は、グリップ７によって閉塞される。
【符号の説明】
【００２１】
１…パイプ柄、  ２…管端部材、  2a…上面、  2b…側面、  2c…底面、  2d…傾斜面、  ３…刃体、  ４…ヒツ、  4a…上面、  4b…側面、  4c…底面、  ５、６…ピン、  ７…グリップ、  ８、９…ピン孔、  10…凹溝。
【図１】
0005576765.tif 000002
【図２】
0005576765.tif 000003
【図３】
0005576765.tif 000004
【図４】
0005576765.tif 000005
【図５】
0005576765.tif 000006